(57)【要約】【課題】  本発明は、軽薄小型化して携帯や収納を便利にし、だれでも手軽に短時間で組み立てや折りたたみが簡単にでき、腰部、臀部、上腿及び下腿に係る体重の負荷を分散軽減し、長時間使用しても痛み、痺れ、だるさを感ずることなく楽に、より自然で常に美しい正座姿勢の保持が可能な折りたたみ式正座椅子を得ることにある。【解決手段】  そこで本発明は、脚部を一脚のみとし、この脚部自体に前後分割又は左右分割という２通りの分割手段（又は、この逆の工程である２つの脚片を座部中央で前後に連合、あるいは左右に抱合）を講じ、それにより生じた２組のそれぞれの脚片を閂棒又は一対から成る固定器具の固定手段を施し、座部中央から両サイドに向けてそれぞれの脚片を反対方向に回動するという構造にし、旦つ、脚部の下端の前端部を後端部よりも緩やかな曲面で形成することで上記の課題のすべてを解決し達成することができる。【選択図】図１
2011125666.tif 000002
【特許請求の範囲】
【請求項１】
座部（１又は１Ａ）と脚部（３又は３Ａ）とを備えた折りたたみ式正座椅子に於いて、前記脚部を分割し（あるいは、その逆の手法である各脚片部分を座部中央で合体し前記脚部を形成する。）、それぞれの脚片部分を座部中央から両サイドに向けて反対方向に回動し、一方の脚片は前記座部の一方の側の座面裏に収納され、他方の脚片は他方の側の座面裏に収納されることを特徴とする折りたたみ式正座椅子。
【請求項２】
前記脚部（３）を座部の前後方向に２分割し（あるいは、その逆の手法である各脚片部分を前後方向に連ねて座部中央で合体し前記脚部を形成する。）、前脚部分（３ａ）と後脚部分（３ｂ）との２構成の脚片部分から成ることを特徴とする請求項１記載の折りたたみ式正座椅子。
【請求項３】
前記脚部（３Ａ）を座部の左右方向に２分割し（あるいは、その逆の手法である各脚片部分を左右方向から抱き合わせ座部中央で合体し前記脚部を形成する。）、右脚部分（３Ａａ）と左脚部分（３Ａｂ）との２構成の脚片部分から成ることを特徴とする請求項１記載の折りたたみ式正座椅子。
【請求項４】
前記脚部（３又は３Ａ）の下端の両端を曲面（Ｒ１及びＲ２）で形成したことを特徴とする請求項１、請求項２又は請求項３記載の折りたたみ式正座椅子。
【請求項５】
前記脚部（３又は３Ａ）の固定手段に於いては、図１、図９他に示した閂棒（４）及び通しボルト・ナットねじ（５）の他に、一対から成る固定器具、例えば、面ファスナー、マグネット＆キャッチ、ローラー＆キャッチ、凹凸ホック、鉤ホック、ラバーフック、スプリングコイル又は板ばね内蔵の止め具、吸盤、ドア及び窓用の錠前、あるいは、これら上記の固定手段の組み合わせも可能であることを特徴とする請求項１、２、３、４記載の折りたたみ式正座椅子。
【発明の詳細な説明】
【技術分野】
【０００１】  本発明は、痺れや痛み、だるさによる姿勢崩れや座わり直しをすることなく、常に美しい正座姿勢を長時間保持することを図った折りたたみ式正座椅子に関するものである。
【背景技術】
【０００２】  従来の折りたたみ式正座椅子は、重厚な座部と角張った脚部とで構成されている。【０００３】  しかしながら、従来の折りたたみ式正座椅子は使用前後に於いて、組み立てや折りたたみに手間取ったり、角張った脚部が床面で不動固定化されてしまうために融通性がなく、長時間使用すると腰部、臀部及び上腿が痛くなったり、さらに下腿が痺れたりして姿勢が崩れ、座わり直すなどして、時々体勢を整えなければならないという欠点があった。
【先行技術文献】
【特許文献】
【０００４】
【特許文献１】実開昭６１−１０７３４７号公報
【発明の概要】
【発明が解決しようとする課題】
【０００５】  本発明は、以上のような従来の欠点に鑑み、軽薄小型化で携帯や収納を便利にし、だれでも短時間で簡単に組み立てや折りたたみができ、腰部、臀部、上腿及び下腿に係る体重の負荷が分散軽減され、長時間の使用でも体勢を整え直すことなく、より楽により自然な状態で常に美しい正座姿勢を提供することを目的としている。
【課題を解決するための手段】
【０００６】  上記目的を達成するために本発明の請求項１に記載の座部と脚部とを備えた折りたたみ式正座椅子に於いて、前記脚部を分割し（あるいは、その逆の手法である各脚片部分を座部中央で合体し前記脚部を形成する。）、それぞれの脚片部分を座部中央から両サイドに向けて反対方向に回動し、一方の脚片は前記座部の一方の側の座面裏に収納され、他方の脚片は他方の側の座面裏に収納されることを特徴とする。【０００７】  本発明の請求項２に記載の折りたたみ式正座椅子に於いては、前記脚部を座部の前後方向に２分割し（あるいは、その逆の手法である各脚片部分を前後方向に連ねて座部中央で合体し前記脚部を形成する。）、前脚部分と後脚部分との２構成の脚片部分から成ることを特徴とする。尚、この構成形態をタイプＡとする。【０００８】  本発明の請求項３に記載の折りたたみ式正座椅子に於いては、前記脚部を座部の左右方向に２分割し（あるいは、その逆の手法である各脚片部分を左右方向から抱き合わせ座部中央で合体し前記脚部を形成する。）、右脚部分と左脚部分との２構成の脚片部分から成ることを特徴とする。尚、この構成形態をタイプＢとする。【０００９】  本発明の請求項４に記載の折りたたみ式正座椅子に於いては、前記脚部の下端の両端を曲面で形成したことを特徴とする。【００１０】  本発明の請求項５に記載の折りたたみ式正座椅子に於いては、前記脚部の固定手段に於いては、閂棒及び通しボルト・ナットねじの他に、一対から成る固定器具、例えば、面ファスナー、マグネット＆キャッチ、ローラー＆キャッチ、凹凸ホック、鉤ホック、ラバーフック、スプリングコイル又は板ばね内蔵の止め具、吸盤、ドア及び窓用の錠前、あるいはこれら上記の固定手段の組み合わせも可能であることを特徴とする。
【発明の効果】
【００１１】  以上の説明から明らかなように、本発明にあっては次に列挙する効果が得られる。
（１）請求項１記載の折りたたみ式正座椅子に於いては、前記脚部自体を分割し（あるいは、その逆の手法である各脚片部分を座部中央で合体し前記脚部を形成する。）、座部中央から両サイドに向けてそれぞれの脚片を反対方向に回動するという構造により、座部と脚部を軽薄小型化でき、臀部下と両下腿との間にすっぽり収まるので外観上、使用感をほとんど感じさせない。【００１２】（２）請求項２記載の折りたたみ式正座椅子に於いては、前記脚部自体を座部の前後方向に２分割し（あるいは、その逆の手法である各脚片部分を前後方向に連ねて座部中央で合体し前記脚部を形成する。）、座部裏の両サイドに収納する構造なので、特に同じ前記座椅子のタイプＡを２体携帯又は収納する場合に於いては、お互い前脚部分と後脚部分をお互いのそれぞれの空間部分に埋めるように重ね合わせることでより一体化でき、持ち運びや収納が楽にできる。尚、単体での場合も携帯、収納に便利であることは前記同様である。又、タイプＢに於いても同タイプの重ね合わせは固定器具の種類によっては可能である。【００１３】（３）請求項３記載の折りたたみ式正座椅子に於いては、前記脚部自体を座部の左右方向に２分割（あるいは、その逆の手法である各脚片部分を左右方向から抱き合わせ座部中央で合体し前記脚部を形成する。）するので、座部と脚部とがより平面状に軽薄化できるために、さらに携帯、収納が便利である。【００１４】（４）請求項４記載の折りたたみ式正座椅子に於いては、前記脚部自体の下端の両端を曲面で形成したことで、両膝頭が床面にぴたりと接し、腰部、臀部、上腿及び下腿に係る体重の負荷が、臀部又は下腿のみに一局集中することなく座部と床面に満遍なく分散軽減される。【００１５】（５）前記（４）の効果に加え、使用者自らが上半身を後ろに傾けて脚部の高低を自己調整することができるので、上腿及び下腿の自由度が増し、痛みや痺れを防止することができる。尚、脚部の後端部は前端部よりも小さい曲面にすることが望ましく、さらに使用者自身の両踵がストッパーの役目を果たすので後ろに倒れてしまうことはない。【００１６】（６）前記（４）、（５）の効果に加え、座面裏と両踵との間に若干の隙間（例えば５〜１０ｍｍ）を設けることにより、上半身を前後左右に旋回させても、どんな動きにも対応できるために、その場でのストレッチングが楽にできる。尚、左右での動きに対しても両踵がストッパーの役目を果たすので倒れてしまうことはない。【００１７】（７）本発明は座部下に脚部が一脚のみであるために、使用中でも移動時には両手を一切使うことなく両下腿の間に挟んだまま状態で移動でき、そのあとすぐにそのまま座わることができる。【００１８】（８）さらに、脚部自体の下端の両端に曲面を施したので、脚の前端部を支点軸にしてその場での方向転換も自由自在である。融通性が利くので、だるさもほとんど感じない。【００１９】（９）請求項５記載の折りたたみ式正座椅子に於いては、両タイプの固定手段として、閂棒の場合は抜き差しするだけであり、ボルト・ナットねじや面ファスナー、マグネット＆キャッチなどの一対から成る固定器具も取り扱かいが非常に楽で、脚部の固定及び解除の動作がわずか１秒〜３秒というごく短かい時間でできるので、使用前後の取り扱かいの煩わしさから開放される。又、図示はしていないが各座部裏面の両サイドと各脚片の側面に面ファスナー又はマグネット＆キャッチなど軽い力で着脱できる固定器具を貼附すれば両タイプともに、各脚片を折りたたんだ時のパタパタ防止にもなる。尚、脚部の固定手段に於いて、固定器具の種類によっては固定及び解除に若干の時間差は生じる。【００２０】（１０）座部上に用いるクッション材としては、両タイプともに低反発、高反発、ウレタンゴムなどの発泡素材、コルク、フェルト、さらには座面を繰り抜いた空間に、植物線維や樹皮、動物皮革又は化学合成線維素材のメッシュを張ることでより軽量化できる。さらにまた、各脚片部も同様に中を繰り抜けば、さらなる軽量化が期待できる。【００２１】（１１）座部の形状は図示の楕円形、ハート型の他に両タイプともに、多角形、円、涙型波型、あるいはこれらの形の組み合わせにより従来品が持つイメージを変え、年齢層を問わない利用が期待できる。但し、座部の形状の種類により脚部との収納状態が一致しない場合が生じる。【００２２】（１２）さらに、タイプＡの副次的利用効果として、前記（２）、（９）とにより、正座椅子としての利用以外に、上段の座部を上方に持ち上げれば電車のパンタグラフのような形状になり、高さ調節のできる簡易枕として、あるいは、肘置き台の他、物を置く台としてなどのインテリア性のある常設物としても利用できる。【００２３】  したがって前記（１）〜（１１）によって、本発明はいとも簡単に持ち運びや収納が楽にでき、だれでも手軽に使え痺れや痛み、だるさによる姿勢崩れを防ぎ、体勢を整え直すことなく、より自然な座わりで両足の甲を組むことができ、長時間の使用でも常に美しい正座姿勢を保持することが可能となる。
【図面の簡単な説明】
【００２４】
【図１】本発明を実施するための最良の第１の形態のタイプＡの斜視図である。
【図２】タイプＡの正面図である。
【図３】タイプＡの背面図である。
【図４】タイプＡの右側面図である。
【図５】タイプＡの各脚片をそれぞれ回動し折りたたんだ状態の正面図である。
【図６】タイプＡの各脚片をそれぞれ回動し折りたたんだ状態の底面図である。
【図７】タイプＡを２組、合わせた状態の斜視図である。
【図８】タイプＢの斜視図である。
【図９】タイプＢの正面図である。
【図１０】タイプＢの左側面図である。
【図１１】タイプＢの各脚片をそれぞれ回動し折りたたんだ状態の正面図である。
【図１２】タイプＢの各脚片をそれぞれ回動し折りたたんだ状態の底面図である。
【発明を実施するための形態】
【００２５】  以下、本発明の実施の形態を図に基づいて説明する。
【実施例１】
【００２６】  図１と図８は本発明のタイプＡとタイプＢの実施例１の斜視図であって、両図ともに、向かって右手前側に両膝が脚部３又は３Ａを挟んだ状態で位置し、脚部の前端部に大きく緩やかな曲面Ｒ１を形成したので両膝頭が床面にぴたりと接する。
【実施例２】
【００２７】  図２と図９は本発明のタイプＡとタイプＢの正面図であって、両図ともに座部上に両方の上腿が乗り、脚部３又は３Ａの両側のそれぞれの空間に両方の下腿が無利することなくすっぽりと収まる。
【実施例３】
【００２８】  図３は本発明のタイプＡの背面図であって、脚部３の両側の空間に両踵がすっぽり収まり、座部も実際上は臀部の下にすっぽりと隠れてしまうので図示の通り、無利することなく両足の甲を組むことができ外観上も使用感をほとんど感じさせない。さらに、座面下と両踵との間に若干の隙間Ｓ（例えば、５〜１０ｍｍ）を設けることにより、両方の下腿を自由に動かすことができる。尚、タイプＢの効果も上記同様である。
【実施例４】
【００２９】  図４と図１０は本発明のタイプＡとタイプＢの右側面図と左側面図であって、図示の通り正座状態での体重の負荷が座部と床面にそれぞれ分散軽減される様子を示したものである。脚部の前端部に大きく緩やかな曲面Ｒ１を施したので両膝頭が床面にぴたりと接し、脚部の後端部は前端部よりも小さい曲面Ｒ２で形成したので後ろに倒れてしまうことはない。さらに座面下と両踵との間に若干の隙間Ｓ（例えば、５〜１０ｍｍ）を設けることにより前後左右での動きがより自由になり痺れ、痛みやだるさを防ぐことができる。
【実施例５】
【００３０】  図５と図１１は本発明のタイプＡとタイプＢの折りたたんだ状態での正面図であって、両図ともに、それぞれの脚部の構成部分３ａ、３ｂ又は３Ａａ、３Ａｂの２つの脚片から成る部分脚を座部中央から両サイドに向けて反対方向に回動する構造のため、軽薄小型化することができ、携帯便利であり収納にも場所を取らない。又、図示はしていないが、各蝶番６ａ、６ｂ又は６Ａａ、６Ａｂの厚み分と固定器具５のねじ頭の突出部の厚み分を座面裏又は各脚片の側面に溝を穿ったことにより平坦に収納できる。尚、タイプＢに於いては、各脚片の内側に固定器具本体を埋め込むか、あるいは面ファスナーを貼附すれば座面裏に溝を穿つことはない。
【実施例６】
【００３１】  図６と図１２は本発明のタイプＡとタイプＢの折りたたんだ状態での底面図であって、両図ともに、それぞれの脚の構成部分３ａ、３ｂ又は３Ａａ、３Ａｂとそれぞれの座部との収まり状態を示したものである。尚、座部の形状によっては、脚部との収まり具合が必らすしも一致しない場合がある。又、図示はしないが軽量化のための座部と脚部の繰り抜き手段に於いては、座部と脚部の強度維持の範囲内にて行なうことができる。
【実施例７】
【００３２】  図７は本発明のタイプＡに於いての副次的な利用効果の一例を示した斜視図である。図示のように、同タイプを２組抱き合わせて上段の座部を上方に持ち上げれば電車のパンタグラフのような形状になり、高さ調節のできる簡易枕として、あるいは肘置き台の他、物を置く台としてなどそのままでもインテリア性のある常設物としても利用できる。
【産業上の利用可能性】
【００３３】  本発明は、老若男女、年齢、外国人を問わず公私での集会の場、各種習い事での様々な席、慶弔の場、さらに腰部、腿部などに障害のある方及び正座の苦手な方などの補助具としてなどの様々な場面で幅広く利用される。
【符号の説明】
【００３４】  １    タイプＡの座部板
１Ａ    タイプＢの座部板
２    タイプＡの座部のクッション材
２Ａ    タイプＢの座部のクッション材
３    タイプＡの脚部
３Ａ    タイプＢの脚部
３ａ    タイプＡ脚部の前脚部分
３ｂ    タイプＡ脚部の後脚部分
３Ａａ  タイプＢ脚部の右脚部分
３Ａｂ  タイプＢ脚部の左脚部分
４    タイプＡの前脚部分と後脚部分とを固定する取手付き閂棒
５    タイプＢの右脚部分と左脚部分とを固定する通しボルト・ナットねじ
６ａ    タイプＡの前脚部分を一方に回動するための蝶番
６ｂ    タイプＡの後脚部分を他方に回動するための蝶番
６Ａａ  タイプＢの右脚部分を右方に回動するための蝶番
６Ａｂ  タイプＢの左脚部分を左方に回動するための蝶番
Ｒ１    大きく緩やかな曲面を施したタイプＡとタイプＢの脚前端部
Ｒ２    小さな曲面を施したタイプＡとタイプＢの脚後端部
Ｓ    タイプＡ及びタイプＢの座面裏と両踵との間に設けた若干の隙間
【図１】
2011125666.tif 000003
【図２】
2011125666.tif 000004
【図３】
2011125666.tif 000005
【図４】
2011125666.tif 000006
【図５】
2011125666.tif 000007
【図６】
2011125666.tif 000008
【図７】
2011125666.tif 000009
【図８】
2011125666.tif 000010
【図９】
2011125666.tif 000011
【図１０】
2011125666.tif 000012
【図１１】
2011125666.tif 000013
【図１２】
2011125666.tif 000014